(57)【要約】      （修正有）【課題】薬液を安定して点眼することのできる容器を提供する。【解決手段】直径４．５ｃｍ、厚さ１ｃｍの円形容器１の中心部から外周に向い７５°の開口部３を設け、ここに長さ１ｃｍ、直径０．５ｃｍの突起状の投下口２を設ける。【選択図】図１
0003108552.tif 000002
【実用新案登録請求の範囲】
イ  直径四センチの円形の中心点に向かい約７０度。７５度位の食い込みを入れる
ロ  食い込まれた両端が軸となり開いた儘の状態で瞼の上下に落ち付く同時に其に連れて両方ノ軸の接点にある真中の投下口から液が真違い無く患部に注がれる
【考案の詳細な説明】
此の考案は点眼容器の液の清潔を大一に他所との接触が厳禁な容器の投下口を保護し患部に投入を容易にする為の瞼の上下を利用して安定を計るものである
従来の点眼容器は本体に只一箇所の投下口しかなく他との接触を禁じそれが為使用時には投下口と患部の間隔を計る為中々に安定した位置が掴めず投下口の先が振れて比較的に高価の薬液を患部以外に蒔き散らす事が多かつた
本考案はその欠点を除く為に考案された物で是を図面によつて説明すれば
イ  本容器の正面図である
Ａ。Ｂの部は使用の時定規となり薬液投下を安定させるものである
ロ  本容器の斜視図である  本容器の奥行きと厚みを示すもので従来の内容量と同量の維持が望ましい
ハ  本体下部の拡大図である
ニ  薬液の投下口である。投下口の清潔を維持する為のゴム製若しくはプラスチツク製の蓋で外部と遮断する
0003108552.tif 000003
【手続補正書】
【提出日】平成15年4月16日(2003.4.16)
【手続補正１】
【補正対象書類名】明細書
【補正対象項目名】実用新案登録請求の範囲
【補正方法】変更
【補正の内容】
【実用新案登録請求の範囲】
【請求項１】
（１）・本体部・・・直系４・５センチ    厚さ１センチ    内容量１０ミリ乃至１５ミリの薬液の納まる円形の容器です
（２）・食い込部・・円形の中心点を軸として外側に放射状に７５度の食い込部を設けその先端Ａ・Ｂを設け点眼の際に上下の瞼にＡ・Ｂが安定し薬液の投下を助けます
（３）投下口・・・  本体中心の軸に設けられた投下口は従来通りの長さ１５Ｍｌ・投下口系約・１ｍＬ・乃至１・５Ｍｌ以上の様に構成された点眼容器です
【手続補正２】
【補正対象書類名】明細書
【補正対象項目名】図面の簡単な説明
【補正方法】変更
【補正の内容】
【図面の簡単な説明】
【図１】本体・正面図・  直系４・５センチ・  厚さ１・０センチ通常の内容量の１５Ｍ−１０Ｍｌの薬液充点に滴合の円形の容器である
【図２】    斜視図      側面より厚み・１センチの奥行きを示す
【図３】    拡大図      正面拡大図で中心点に設けた薬液の投下口である中心より下方向に７５度間隔で放射状に開きその両端のＡ・Ｂは点眼時の際に上下の瞼が定規として患部を鋏み無駄無く点滴が達せられる
【符号の説明】        １図本体。２薬液投下口。３開放口７５度。
２図ＡＢの先端は定規を兼ねる（４）本体の厚み。
３図本体の拡大図  中心に設けた投下口
ＡＢの角は点眼時は上下の瞼に接触固定の上安定した点眼が可能になる


【手続補正３】
【補正対象書類名】図面
【補正対象項目名】全図
【補正方法】変更
【補正の内容】
【図１】
0003108552.tif 000004
【図２】
0003108552.tif 000005
【図３】
0003108552.tif 000006
【手続補正書】
【提出日】平成15年7月1日(2003.7.1)
【手続補正１】
【補正対象書類名】明細書
【補正対象項目名】実用新案登録請求の範囲
【補正方法】変更
【補正の内容】
【実用新案登録請求の範囲】
【請求項１】
（１）本体部・・直系４・５センチ・厚さ１センチ  内容量１０ミリ乃至１５ミリ・の薬液の納まる円形の容器です
（２）食い込部・・本考案の本体の中心の軸を起点に放射状に外周に向かい外週部に７５度の間隙で出来た開口部に至る迄の空間です軸の起点から外週部の開口部に至る空間を言います
（３）投下口・・中心の軸に位置し  長さ１センチ・直系０・５センチの突起状の形体を為しその投下口ちの先端より患部への距離は１センチ強を確保し患部との接触を防ぎます
（４）開口部に出来た両先端のＡ・Ｂ・は点眼時には定規となり患部を跨ぎ瞼の上下に定着・点眼容器の触れを抑へ薬液の患部への投下を容易にする。以上の様な構造です
名  称  （静止型点眼容器）です
【手続補正書】
【提出日】平成15年8月13日(2003.8.13)
【手続補正１】
【補正対象書類名】明細書
【補正対象項目名】実用新案登録請求の範囲
【補正方法】変更
【補正の内容】
【実用新案登録請求の範囲】
【請求項１】
（１）本体部ーー直径４・５センチ・厚み１センチ・内容量１０ミリ・乃至１５ミリの薬液の収まる円形の容器です
（２）食い込み部ーー本体の中心軸を基点に外周に向かい左右に開き外周にてａ・ｂの間７５度の間隔を構成する空間を言います
（３）投下口ーー本体の中心軸に以置して長さ１センチ・直系０・５センチ・直系の中心に薬液流出の孔が有りその先端と患部の距離は１センチ・強あり患部との接触の心配はない事と思われます
（４）開口部に設けられたａ・ｂの両先端は点眼時には患部を跨ぎ瞼の上・下に定着し定規として安定し以後の点眼の動作を容易にする
（５）ーーは投下口と食い込み部の拡大図です
本考案は以上の様な構造です（点眼容器。。静姿）です
【手続補正２】
【補正対象書類名】図面
【補正対象項目名】補正内容のとおり
【補正方法】変更
【補正の内容】
0003108552.tif 000007
【手続補正３】
【補正対象書類名】図面
【補正対象項目名】補正内容のとおり
【補正方法】変更
【補正の内容】
0003108552.tif 000008
【手続補正４】
【補正対象書類名】図面
【補正対象項目名】補正内容のとおり
【補正方法】変更
【補正の内容】
0003108552.tif 000009
【手続補正５】
【補正対象書類名】図面
【補正対象項目名】補正内容のとおり
【補正方法】変更
【補正の内容】
0003108552.tif 000010
【手続補正書】
【提出日】平成15年11月7日(2003.11.7)
【手続補正１】
【補正対象書類名】明細書
【補正対象項目名】補正内容のとおり
【補正方法】変更
【補正の内容】
0003108552.tif 000011
0003108552.tif 000012
0003108552.tif 000013
0003108552.tif 000014
【手続補正書】
【提出日】平成16年2月19日(2004.2.19)
【手続補正１】
【補正対象書類名】明細書
【補正対象項目名】実用新案登録請求の範囲
【補正方法】変更
【補正の内容】
【実用新案登録請求の範囲】
【請求項１】
１ー直径５センチー厚さ１センチーの円形の容器ー薬液の容量１０乃至１５ミリ
２ー中心より左右均等に外週に走り其処に７５度の間隙を設ける食い込み部である
３ー中心軸には外方に向かい薬液点滴用の長さ約１センチの突起物を設けその中心より患部えの点滴が容易になります
４ー突起物約１センチに比し食い込み部との差１センチ患部には触れません
間隙部の両端は点眼時には上下の瞼に触れ定規として点滴の安定を計る
【手続補正２】
【補正対象書類名】明細書
【補正対象項目名】図面の簡単な説明
【補正方法】変更
【補正の内容】
【図面の簡単な説明】
【図１】……本体と７５度に設けた間隔の開口部
【図２】……開口部に設けられた両凸端
【図３】……薬液の投下口と定規となる両端の比較
【図４】……定規となる両凸端の拡大図
【符号の説明】
１…………本  体
２…………食い込み部
３…………薬液の投下口
４…………定規となる両端と投下口


【手続補正３】
【補正対象書類名】図面
【補正対象項目名】全図
【補正方法】変更
【補正の内容】
【図１】
0003108552.tif 000015
【図２】
0003108552.tif 000016
【図３】
0003108552.tif 000017
【図４】
0003108552.tif 000018
【手続補正書】
【提出日】平成16年6月1日(2004.6.1)
【手続補正１】
【補正対象書類名】実用新案登録請求の範囲
【補正対象項目名】全文
【補正方法】変更
【補正の内容】
【実用新案登録請求の範囲】
【請求項１】
ー直径５センチー厚さ１センチー内容薬量１５ミリ以内の円形の容器が本体です
【請求項２】
ー円形の中心点より左右均等に外周に走りその外周部に７５度の開口部を設ける食い込み部である
【請求項３】
ー食込みにて生じた間隙部の両端の長さ２センチに対して薬液投下凸起物は１センチ患部に触れる事無く容易に使用が可能です
【請求項４】
ー点眼時には間隙部の両端は定規となり点眼の動作を安定させる本考案は以上の様な構造です。本考案は（静止）点眼容器と申します。
【手続補正書】
【提出日】平成16年9月24日(2004.9.24)
【手続補正１】
【補正対象書類名】実用新案登録請求の範囲
【補正対象項目名】全文
【補正方法】変更
【補正の内容】
【実用新案登録請求の範囲】
【請求項１】
（１）・・・本体は直系５センチ・厚さ１センチで薬量１０乃至１５ミリを収納可能な円形の容器
（２）・・・円形の本体中心を起点にして左右均等に放射状に走り外週部に到達其処に７５度の開口部を設ける
（３）・・・７５度の開口部の両凸端の鋭角は点眼時には定規としての役目をなす。
（５）・・・円形本体の中心の薬液投下口の長さ１センチは両端の鋭角の約３センチに守られて点眼の際患部への接触の心配は無し
（６）・・・点眼動作の際に両端の鋭角は瞼の上下に定着して定規として患部への投入を迷う事なく容易にする
（以上の構造からなる点眼容器）
【手続補正書】
【提出日】平成16年12月7日(2004.12.7)
【手続補正１】
【補正対象書類名】実用新案登録請求の範囲
【補正対象項目名】全文
【補正方法】変更
【補正の内容】
【実用新案登録請求の範囲】
【請求項１】
本体は直系５センチ・厚さ１センチで薬量１０及至１５ミリを収納可能な円型の容器にて本体の中心を起点とし左右均等に外周部に放射状に走り到達し外周部に７５度の開口部を設ける開口にて生じた左右の凸端の鋭角の長さは中心点より３センチあり点眼時には患部を上下から挟む様にして定着１センチの投下口の患部への接触を防ぎ定規としての役目をなし以後の点眼動作を迷う事なく容易にする点眼容器